(57)【要約】【課題】光ピックアップにおいて、光ディスクからの戻り光を検出するにあたって、特定の入射角度に対して回折効率が大きくなるような体積ホログラムの特性を用い、主光線に対し回折効率が最大になるよう偏光性回折格子を傾斜させて配置するが、主光線に対する回折効率に比べて、周辺の傾斜入射光線に対する回折効率は低くなる。収束光のすべての入射光に対しブラッグ角度になるよう、ホログラムの格子を傾斜する方法は製造が難しい。【解決手段】第１の媒質２と第２の媒質３の境界面に、立ち上がり・下がり部が傾斜した矩形波状の凹凸を設け、格子面をＡ、Ｂ、Ｃの領域に分割し、それぞれの領域毎に、上記の傾斜角を異ならせる。領域Ｂは格子面に垂直に入射する主光線に対して１次回折光の回折効率が最大になるよう上記傾斜角を選ぶ。領域Ａ、Ｃにおいては、周辺光に対し上記回折効率が最大になるよう上記傾斜角を選ぶ。【選択図】  図１
2005055773.tif 000002
【特許請求の範囲】
【請求項１】
光学的に透明、且つ、互いに平行に配された２枚の基板と、両基板の間に挟まれ、少なくとも一方が複屈折性を示し、互いに光学的特性の異なる２つの媒質が境界面をもって交互に周期的に配列された構造を有し、前記境界面が前記２枚の基板の平行面に対し傾斜する偏光性回折格子において、該回折格子が複数の領域に分割され、各々の領域において前記境界面の傾斜する角度が異なることを特徴とする偏光性回折格子。
【請求項２】
請求項１に記載の偏光性回折格子において、前記光学的特性の異なる２つの媒質のうち一方の媒質のみが複屈折性を示す媒質であり、他方の媒質は光学的等方性を示す媒質であることを特徴とする偏光性回折格子。
【請求項３】
請求項２に記載の偏光性回折格子において、前記複屈折性を示す媒質の面内の直交する２方向の異なる屈折率のうち一方の屈折率と前記光学的等方性を示す媒質の屈折率とが略等しいことを特徴とする偏光性回折格子。
【請求項４】
請求項１ないし３のいずれか１つに記載の偏光性回折格子において、該回折格子は奇数の領域に分割されており、中央の領域の前記境界面の傾斜角は、使用すべき光の波長に関し、前記基板の面に垂直に入射する光線の１次回折光の回折効率が最大になる角度θＢに設定されていることを特徴とする偏光性回折格子。
【請求項５】
請求項４に記載の偏光性回折格子において、前記奇数の領域のうち最外側の領域の前記境界面の傾斜角は、前記回折格子に入射させるべき収束性の光束のうち１次回折光の回折効率を最大にしたい光線の相対入射角度が前記θＢになるように設定されていることを特徴とする偏光性回折格子。
【請求項６】
光学的に透明、且つ、互いに平行に配された２枚の基板と、両基板の間に挟まれ、少なくとも一方が複屈折性を示し、互いに光学的特性の異なる２つの媒質が境界面をもって交互に周期的に配列された構造を有し、前記境界面が前記２枚の基板の平行面に対し傾斜する偏光性回折格子において、該回折格子が複数の領域に分割され、各々の領域において前記回折格子の深さが異なることを特徴とする偏光性回折格子。
【請求項７】
請求項６に記載の偏光性回折格子において、前記光学的特性の異なる２つの媒質のうち一方の媒質のみが複屈折性を示す媒質であり、他方の媒質は光学的等方性を示す媒質であることを特徴とする偏光性回折格子。
【請求項８】
請求項７に記載の偏光性回折格子において、前記複屈折性を示す媒質の面内の直交する２方向の異なる屈折率のうち一方の屈折率と前記光学的等方性を示す媒質の屈折率とが略等しいことを特徴とする偏光性回折格子。
【請求項９】
請求項６ないし８のいずれか１つに記載の偏光性回折格子において、該回折格子は奇数の領域に分割されており、中央の領域の前記回折格子の深さは、使用すべき光の波長に関し、前記基板の面に垂直に入射する光線の出射角θなる１次回折光の回折効率が最大になる深さに設定されていることを特徴とする偏光性回折格子。
【請求項１０】
請求項９に記載の偏光性回折格子において、前記奇数の領域のうち最外側の領域の前記回折格子の深さは、前記回折格子に入射させるべき収束性の光束のうち１次回折光の回折効率を最大にしたい光線の入射角に対する相対出射角度が前記θになるように設定されていることを特徴とする偏光性回折格子。
【請求項１１】
請求項１ないし１０のいずれか１つに記載の偏光性回折格子において、該回折格子を使用すべき所望の光の空気中における波長をλ、格子深さをＴ、回折格子媒質の屈折率をｎ、格子ピッチをｄとしたとき、Ｑ＝２πλＴ／ｎｄ２で定義される回折格子のＱ値が、Ｑ＞２となるよう構成したことを特徴とする偏光性回折格子。
【請求項１２】
請求項１ないし１１のいずれか１つに記載の偏光性回折格子において、前記複屈折性を示す媒質は有機延伸膜であることを特徴とする偏光性回折格子。
【請求項１３】
請求項１ないし１１のいずれか１つに記載の偏光性回折格子において、前記複屈折性を示す媒質は液晶であることを特徴とする偏光性回折格子。
【請求項１４】
請求項１ないし１３のいずれか１つに記載の偏光性回折格子を、レーザ光源と受光素子を一体化した投受光素子の光入出射面に一体化してユニットを構成してなることを特徴とする光学素子ユニット。
【請求項１５】
請求項１ないし１３のいずれか１つに記載の偏光性回折格子と、光源と、対物レンズと、受光素子とを有する記録媒体記録再生のための光ピックアップ装置であって、前記光源からの光束の光路中に前記偏光性回折格子を配置し、前記記録媒体からの反射光を前記偏光性回折格子により分岐し、前記受光素子で受光することを特徴とする光ピックアップ装置。
【請求項１６】
請求項１５に記載の光ピックアップ装置を搭載したことを特徴とする光ディスクドライブ装置。
【請求項１７】
請求項１に記載の偏光性回折格子を作製する方法であって、光学的に透明な第１の基板の片面に、外部から電圧印加可能な状態に帯状の透明電極を所定の等間隔に形成し、同じく透明な第２の基板の片面に、外部から電圧印加可能な状態に帯状の透明電極を複数の領域に分けて形成し、各領域内では前記透明電極を前記所定の等間隔に形成し、領域間では前記所定の等間隔とは異なる間隔で配置し、前記両基板の前記透明電極を形成した面を、前記帯状電極が配列方向に所定量ずれて向き合うように対向させ、その間に光硬化型液晶を封入し、前記両基板の前記透明電極間に電圧を印加しながら光照射を行うことによって、前記液晶の電圧印加による配向状態のまま前記液晶を固化させることを特徴とする偏光性回折格子の作製方法。
【発明の詳細な説明】
【技術分野】
【０００１】
本発明は、偏光性回折格子からなる偏光光学素子、および、それを用いた光ピックアップ装置、光ディスクドライブ装置に関する。
【背景技術】
【０００２】
液晶表示のカラーフィルタ用途として、基板に対して斜めに傾いた格子が提案されている（例えば、特許文献１  参照。）。斜めにすることにより０次光と１次光以外の高次光が発生しないで、しかも回折効率の波長依存性もほとんど無いものとなる。
【０００３】
図１３は偏光性回折格子の１例を示す模式図である。
同図において符号１、１’は基板、２は第１の媒質、３は第２の媒質をそれぞれ示す。
偏光性回折格子は、基板１、１’に挟まれた、互いに屈折率の異なる第１の媒質２と第２の媒質３との境界面に、断面が矩形波状に形成されている。すなわち、矩形状の凹凸によって、２つの媒質が互いに同じ幅で入り組むように、基板面に平行な方向に周期的に所定のピッチで交互に並んでいる。凹凸の上面と底面は基板表面に対し平行であり、上面と底面を結ぶ壁面は基板表面に対し垂直になっている。紙面に垂直な方向にはこのような凹凸が、格子ラインとして所定の長さで形成されている。同図では理解を容易にするために縦横とも誇張して示してある。
【０００４】
矩形波のピッチに比べて凹凸の深さが浅い場合は、平面ホログラムとしての性質を示し、逆に或る程度深い場合は、Ｑ値が大きくなり体積ホログラムとしての性質を示す。ただし、ここで言うＱ値とは、光の空気中の波長λ、格子深さＴ、回折格子媒質の屈折率ｎ、格子ピッチをｄとするとき、
Ｑ＝２πλＴ／ｎｄ２
で表される値のことである。
平面ホログラムの＋１次回折光の回折効率は、面に対する光束の入射角度による依存性があまり大きくないが、体積ホログラムのそれは、入射角度に大きく依存する。
【０００５】
図１４はホログラムの種類による＋１次回折光の回折効率を表すグラフである。
同図において符号Ｐは平面ホログラムによる１次光回折効率を表す曲線、Ｖは体積ホログラムによる１次光回折効率を表す曲線をそれぞれ示す。
平面ホログラムの場合は、光束が面に対して垂直に入射するとき最も回折効率が高くなる。そして、入射光束が面に対し傾いていっても、回折効率の低下はあまり著しくない。
それに比べ、体積ホログラムの場合は、光束が面に対し垂直に入射したときは、平面ホログラムとほぼ同等の回折効率を示すが、入射角度が−（マイナス）方向に傾いていくと、回折効率はそれより減少し、逆に、入射角度が＋方向に傾いていくと、回折効率は上昇し、或る角度θＢにおいて最大値を示し、それ以上の角度では減少に転ずる。
この現象は、非特許文献１にも示されている。
【０００６】
偏光性回折格子の回折効率を高めるためには回折格子の溝を深く加工しなければならない。しかしながら、溝が深く、ピッチの小さい偏光性回折格子は前述のように体積ホログラムの特性が表れる。
一般に偏光性回折格子には光を面に垂直入射（入射角０°）させて使うが、光ピックアップにおいて偏光性回折格子を光源とカップリングレンズの間に配置すると、収束光が偏光性回折格子に入るので光束の中心部は垂直入射するが、周辺部では光の入射角度が＋５°や−５°の角度で入射する。＋５°で入射した光は回折効率η１が大きく、−５°で入射した光は回折効率η２が小さいと、ビームの左右で回折効率が異なることになり、プッシュプル信号にオフセットが生じてしまう。
この問題を解決するため、本発明者等は回折格子自体を傾ける方式を提案した（特願２００３−０９０７６９）。
【０００７】
図１５は格子面の傾斜による１次光回折効率のグラフのシフトを説明するための図である。
同図において符号ｇ０は格子を傾けないときの光軸に沿った入射光、いわゆる主光線に対する１次回折光の回折効率のグラフ、ｇθＢは格子をθＢ傾けた場合の主光線に対する１次回折光の回折効率のグラフをそれぞれ示す。
この先願によれば、回折格子を傾けない場合の１次光回折効率はグラフｇ０で示される。１次光回折効率が最も高くなる入射角度（θＢ）だけ光軸に対して回折格子自体を傾けて、主光線に対して最も回折効率が大きくなるようにすると、グラフｇ０は座標軸対称にシフトして、主光線に対する１次光回折効率のグラフｇθＢを得る。このグラフは光軸に関し＋５°や−５°の角度で入射した場合でも回折効率η１とη２が等しくなる。このようにしてプッシュプル信号にオフセットが生じないように構成している。このように構成すると、収束光のすべての角度に対し、回折効率が上昇するので、受光素子に入射する光量も増加し、高速応答も可能になる。
【０００８】
上記先願においては、光軸に対して格子自体を傾けて、主光線に関し最も回折効率が大きくなるようにして、光軸に対し傾いた角度で入射した場合でも＋５°入射と−５°入射で回折効率が等しくなるようにしてプッシュプル信号にオフセットが生じないように構成されている。しかしながら回折効率が等しくなるのでオフセットは生じないが、傾斜角入射光に対する回折効率自体は低下するのでプッシュプル信号光量は低下する。
さらに同先願において、全領域でブラッグ角になるように格子を傾斜することで回折効率の低下を抑制する方法が提案されているが、収束光が入射する場合、全領域でブラッグ角になるようにおのおのの格子を少しずつ傾けて加工することは難しい。
【０００９】
偏光性回折格子を構成する材料として、光学的異方性材料が必要となるが、この材料としてカルサイトを用いる例がある（例えば、特許文献２  参照。）。しかしながら、カルサイトは大面積・低コストに関して難がある。一方、このような用途に使える材料として、有機延伸膜をホログラムに用いた例がある（例えば、特許文献３  参照。）。有機延伸膜はカルサイトに比べて大面積化が容易で、膜厚が薄く、安価に入手できると言うメリットを持っている。
【００１０】
【特許文献１】特開平１０−０９６８０７号公報（第４頁、第１図）
【特許文献２】特第２５９４５４８号公報（第２頁、第１図）
【特許文献３】特開２０００−０７５１３０号公報（第４頁、第１図）
【非特許文献１】小山、西原共著「光波電子光学」コロナ社、p.121
【発明の開示】
【発明が解決しようとする課題】
【００１１】
受光素子に入る光量を大きくするために矩形波ピッチに対する深さを深くすると、特定の入射角度に対して回折効率が大きくなるような体積ホログラムの特性が現れる。この体積ホログラムは、通常の使い方では、入射角度の違いによる回折効率の違いから生じるプッシュプル信号のオフセットが発生する。これを避けるため回折効率が最大になる入射角で主光線が入射するように格子を傾ける。それでも主光線に対する回折効率に比べて、傾斜入射光線に対する回折効率は低くなる。収束しながら入射するすべての入射光の入射角に対してブラッグ角度になるよう、ホログラムの格子を傾斜する方法は製造が難しい。
本発明では格子を複数の領域に分けて、領域ごとに格子の形状を変える事により、＋５°入射、−５°入射のような光軸に関し斜めに入射する光に対して回折効率が等しく、かつ回折効率自体も低下しないようにすることを提案する。
【課題を解決するための手段】
【００１２】
請求項１に記載の発明では、光学的に透明、且つ、互いに平行に配された２枚の基板と、両基板の間に挟まれ、少なくとも一方が複屈折性を示し、互いに光学的特性の異なる２つの媒質が境界面をもって交互に周期的に配列された構造を有し、前記境界面が前記２枚の基板の平行面に対し傾斜する偏光性回折格子において、該回折格子が前記配列方向に関して複数の領域に分割され、各々の領域において前記境界面の傾斜する角度が異なることを特徴とする。
請求項２に記載の発明では、請求項１に記載の偏光性回折格子において、前記光学的特性の異なる２つの媒質のうち一方の媒質のみが複屈折性を示す媒質であり、他方の媒質は光学的等方性を示す媒質であることを特徴とする。
【００１３】
請求項３に記載の発明では、請求項２に記載の偏光性回折格子において、前記複屈折性を示す媒質の面内の直交する２方向の異なる屈折率のうち一方の屈折率と前記光学的等方性を示す媒質の屈折率とが略等しいことを特徴とする。
請求項４に記載の発明では、請求項１ないし３のいずれか１つに記載の偏光性回折格子において、該回折格子は奇数の領域に分割されており、中央の領域の前記境界面の傾斜角は、使用すべき光の波長に関し、前記基板の面に垂直に入射する光線の１次回折光の回折効率が最大になる角度θＢに設定されていることを特徴とする。
【００１４】
請求項５に記載の発明では、請求項４に記載の偏光性回折格子において、前記奇数の領域のうち最外側の領域の前記境界面の傾斜角は、前記回折格子に入射させるべき収束性の光束のうち１次回折光の回折効率を最大にしたい光線の相対入射角度がθＢになるように設定されていることを特徴とする。
請求項６に記載の発明では、光学的に透明、且つ、互いに平行に配された２枚の基板と、両基板の間に挟まれ、少なくとも一方が複屈折性を示し、互いに光学的特性の異なる２つの媒質が境界面をもって交互に周期的に配列された構造を有し、前記境界面が前記２枚の基板の平行面に対し傾斜する偏光性回折格子において、該回折格子が複数の領域に分割され、各々の領域において前記回折格子の深さが異なることを特徴とする。
【００１５】
請求項７に記載の発明では、請求項６に記載の偏光性回折格子において、前記光学的特性の異なる２つの媒質のうち一方の媒質のみが複屈折性を示す媒質であり、他方の媒質は光学的等方性を示す媒質であることを特徴とする。
請求項８に記載の発明では、請求項７に記載の偏光性回折格子において、前記複屈折性を示す媒質の面内の直交する２方向の異なる屈折率のうち一方の屈折率と前記光学的等方性を示す媒質の屈折率とが略等しいことを特徴とする。
請求項９に記載の発明では、請求項６ないし８のいずれか１つに記載の偏光性回折格子において、該回折格子は奇数の領域に分割されており、中央の領域の前記回折格子の深さは、使用すべき光の波長に関し、前記基板の面に垂直に入射する光線の出射角θなる１次回折光の回折効率が最大になる深さに設定されていることを特徴とする。
【００１６】
請求項１０に記載の発明では、請求項９に記載の偏光性回折格子において、前記奇数の領域のうち最外側の領域の前記回折格子の深さは、前記回折格子に入射させるべき収束性の光束のうち１次回折光の回折効率を最大にしたい光線の入射角に対する相対出射角度が前記θになるように設定されていることを特徴とする。
請求項１１に記載の発明では、請求項１ないし１０のいずれか１つに記載の偏光性回折格子において、該回折格子を使用すべき所望の光の空気中における波長をλ、格子深さをＴ、回折格子媒質の屈折率をｎ、格子ピッチをｄとしたとき、Ｑ＝２πλＴ／ｎｄ２で定義される回折格子のＱ値が、Ｑ＞２となるよう構成したことを特徴とする。
【００１７】
請求項１２に記載の発明では、請求項１ないし１１のいずれか１つに記載の偏光性回折格子において、前記複屈折性を示す媒質は有機延伸膜であることを特徴とする。
請求項１３に記載の発明では、請求項１ないし１１のいずれか１つに記載の偏光性回折格子において、前記複屈折性を示す媒質は液晶であることを特徴とする。
請求項１４に記載の発明では、請求項１ないし１３のいずれか１つに記載の偏光性回折格子を、レーザ光源と受光素子を一体化した投受光素子の光入出射面に一体化してユニットを構成してなる光学素子ユニットを特徴とする。
【００１８】
請求項１５に記載の発明では、請求項１ないし１３のいずれか１つに記載の偏光性回折格子と、光源と、対物レンズと、受光素子とを有する記録媒体記録再生のための光ピックアップ装置であって、前記光源からの光束の光路中に前記偏光性回折格子を配置し、前記記録媒体からの反射光を前記偏光性回折格子により分岐し、前記受光素子で受光することを特徴とする。
請求項１６に記載の発明では、請求項１５に記載の光ピックアップ装置を搭載した光ディスクドライブ装置を特徴とする。
【００１９】
請求項１７に記載の発明では、請求項１に記載の偏光性回折格子を作製する方法であって、光学的に透明な第１の基板の片面に、外部から電圧印加可能な状態に帯状の透明電極を所定の等間隔に形成し、同じく透明な第２の基板の片面に、外部から電圧印加可能な状態に帯状の透明電極を複数の領域に分けて形成し、各領域内では前記透明電極を前記所定の等間隔に形成し、領域間では前記所定の等間隔とは異なる間隔で配置し、前記両基板の前記透明電極を形成した面を、前記帯状電極が配列方向に所定量ずれて向き合うように対向させ、その間に光硬化型液晶を封入し、前記両基板の前記透明電極間に電圧を印加しながら光照射を行うことによって、前記液晶の電圧印加による配向状態のまま前記液晶を固化させる偏光性回折格子の作製方法を特徴とする。
【発明の効果】
【００２０】
本発明の偏光性回折格子によれば、作製が容易でありながら、光ディスクへの入射光の光量を大きく損失することなく、光ディスクからの収束しながら入射する戻り光を効率よく回折させて受光素子に導くことができ、高速応答性の光ピックアップ装置を作ることができる。
【発明を実施するための最良の形態】
【００２１】
特定方向の偏光に関しては作用を与えず、それと直交方向の偏光に対しては高い１次回折効率を示す偏光性回折格子であって、互いに光学的特性の異なる２つの媒質が格子面に対し傾斜する境界面をもって交互に周期的に配列された構造を有し、該格子面が複数の領域に分割され、各領域毎に前記境界面の傾斜角を異ならせることによって、１次回折光に対する最高の回折効率を示す入射角度が領域毎に異なり、収束光に対し、主光線も、周辺光線も高い回折効率を示す偏光性回折格子を作製する。光源と受光素子が一体化された投受光素子の投受光窓に、光束分割用のグレーティングを貼り付け、所定の光学的距離を置いて前記偏光性回折格子を貼り付け一体化させ、光学素子ユニットを構成する。この光学素子ユニットを、光ディスクの記録・再生用光ピックアップに用いる。
【実施例１】
【００２２】
以下に実施形態に従って本発明を説明する。
図１は本発明のホログラムの実施形態を説明するための図である。
同図において符号１、１’は基板、２は第１の媒質、３は第２の媒質、Ａ、Ｂ、Ｃは壁面の傾斜角を異ならせた３つのブロック、Ｈは偏光性回折格子、ＬＡ、ＬＢ、ＬＣは光束をそれぞれ示す。
互いに光学的特性の異なる第１の媒質２と、第２の媒質３は光学的に透明な基板１、１’に挟まれており、両媒質の境界は傾斜した矩形波状の凹凸が形成され、双方の媒質が部分的に相互に入り込むように、周期的に所定のピッチで並んでいる。この構成は基本的には図１３に示した構成に類似であるが、図１３の構成では、両媒質の凹凸の境界が基板の面に平行な上面・底面と垂直な壁面の繰り返しで構成されていたのに対し、本実施形態では、上記境界が、基板の面に平行な上面・底面を有する点では同じであるが、壁面は基板の面に垂直ではなく、或る特定な角度を有している点が異なる。
【００２３】
先願の説明で示したように、図１３に示した回折格子を傾斜させて配置した場合、全ての矩形状の凹凸の壁面（以後単に壁面と称す）は主光線に対し同じ角度傾くことになる。また、特許文献１に示された回折格子は上面・底面が基板面に平行であり、壁面が特定な角度で傾斜しているが、これも領域分割はされておらずすべての壁面が同一の角度を有している。
本実施形態は壁面が既に傾いているので、主光線は基板に垂直に入射させることができるが、本発明では、基板面に対し壁面の傾斜角度は一定ではないことが特徴である。
【００２４】
図２は偏光性回折格子の平面図である。
図１、２においてブロックＢは、基板面に垂直に入射する主光線の１次回折光が最大の回折効率を示す角度に壁面を傾斜させてある。ブロックＡは、主光線に対し−θ１の角度で入射する光線の１次回折光が最大の回折効率を示す角度に壁面を傾斜させてある。ブロックＣは、主光線に対し＋θ１の角度で入射する光線の１次回折光が最大の回折効率を示す角度に壁面を傾斜させてある。
ブロックＢの壁面の基板面に対する傾斜角をθＢとすると、ブロックＡのそれはθＢ−θ１、ブロックＣのそれはθＢ＋θ１となる。すなわち、入射光線と壁面がなす相対角度がすべてθＢとなっている。
収束光の最外側の光線の入射角を±θ２としたとき、θ１とθ２の関係は以下に述べるような関係に設定する。
【００２５】
図３は本実施形態のホログラムの回折効率を示す図である。同図（ａ）は壁面の傾斜角±θ１を入射角の限界値±θ２に一致させた場合、同図（ｂ）は壁面の傾斜角±θ１の絶対値を入射角の限界値θ２より小さい値に設定した場合をそれぞれ示す図である。
同図において符号ｇＡ、ｇＢ、ｇＣはブロックＡ、Ｂ、Ｃにおける１次回折光の回折効率のグラフをそれぞれ示す。
同図（ａ）に示すグラフの実線の部分が光束の中心を通る横断面における１次回折光の回折効率である。ブロックＡおよびＢにおいては、収束光の最外側の光線の角度θ２（入射角の限界値）において１次光回折効率が最大になるように設定している。すなわち、最外側の光線の回折効率が主光線の回折効率と等しくなっている。したがって、光量損失をかなり低減できる。
【００２６】
同図（ｂ）に示すグラフでは、入射角の限界値±θ２における回折効率が、グラフｇＢとグラフｇＡの交点、および、グラフｇＢとグラフｇＣの交点における回折効率ηに等しくなるように壁面の傾斜角θＢ±θ１を選んである。こうすることによって、光束の平均的な回折効率はさらに上昇し、それだけ光量損失の低減が図れる。図からも明らかなように、このときのθ１はθ２の３分の２に等しい。角度θ２があまり大きくなければ、ブロックＡ、Ｂ、Ｃの有効幅も光束の径をほぼ３等分する大きさになる。
このθ１の設定方法は、光束断面が、回折格子のライン方向に平行な辺を有する長方形の場合に最高の回折効率を示すことが明らかである。実際の光束断面は通常の場合円形なので、±θ２における回折効率がグラフｇＢとグラフｇＡ等の交点における回折効率よりも若干小さくなっても、±θ１の絶対値を小さくしてさらにグラフｇＢの中心側に近づけた方が、総合の回折効率はより大きくなる。
【００２７】
ここでは光束透過領域を３分割した場合で説明したが、分割数を多くしてそれに合わせて格子の傾きを変えれば同様の効果が得られる。
逆に図３（ｂ）において、θ１の絶対値をもっと小さくして、グラフｇＢを省略することもできる。この場合は領域を２分割にすることになる。
エッチングで格子を作ったり、機械加工で格子を作ったりする場合、領域分割してその領域ごとに傾きを変えるのであれば、領域ごとに露光したり、領域ごとに切削すれば良いので、１つずつの格子を傾きを変えて加工する方法に比べ加工時間はかからずに、かつ高効率を得ることができる。
【００２８】
図１の第１の媒質２および第２の媒質３は配向状態が異なる媒質でともに複屈折性をもっていても良いが、一方の媒質が複屈折性を示し、他方の媒質が等方性媒質である構成の方が媒質の選択の幅を広げられて好ましい。往路で透過率が高く、復路で回折効率の高い偏光ホログラムを実現するには格子が傾斜断面構造を持ち、かつ、このとき複屈折媒質は基板に平行な面内における直交する２方向の屈折率が異なる屈折率異方性を示して、直交する２方向のうちのいずれかの方向の屈折率が等方性媒質の屈折率と略等しいことが必要となる。
本実施形態によれば、体積性のある格子を基板に対して斜めに傾けて＋１次回折光に高効率を得ると共に、収束光が入った場合でも周辺部の格子傾き角度を中心部と異ならせることにより回折効率の低下を抑制できるので、高速記録・再生と信頼性の高いプッシュプル信号を得ることができる。さらに＋１次回折光だけが高効率になるので、受光素子は＋１次光だけを受光すれば良く１個で済む。±１次光を受光して２個の受光素子を必要とする構成よりも受光素子が少ないので、低コスト化と小型化を図れる。
【実施例２】
【００２９】
図４は本発明の他の実施形態を説明するための図である。
図５は図４に示す実施形態の回折効率の一例を示す線図である。
図４において符号は図１における符号に準ずる。
本実施形態ではブロックごとに格子の壁の高さ、あるいは溝の深さ（以下、回折格子の深さ、もしくは単に深さと呼ぶ）を異ならせている。図４における構成を数値例で示せば、波長６５０ｎｍのレーザ光に対して、ピッチ１．０μｍ、深さ２．７μｍで、壁面は約８°傾斜している。このような偏光回折格子の回折効率は図５に示すようになる。
すなわち、垂直入射の主光線に対して１次回折光が最大回折効率となるよう設定されており、その効率は８０％以上の値を示している。この回折格子のみであると、光線の入射角が±６°の場合、回折効率が２０％以下まで低下してしまう。そこで±６°傾いた光線が入射する領域の格子の、傾斜角は変えずに深さだけを３．７μｍにすると、±６°傾いて入射した場合でも４０％以上の回折効率が得られる。このように領域により深さを変えることで垂直入射する光だけではなく傾いて入射する光に対しても高い効率で回折させることができるようになるので、前記と同様、高速再生と信頼性の高いプッシュプル信号を得ることができる。
【００３０】
本実施形態においても図３（ｂ）を用いて説明したような方法が有効である。
すなわち、ブロックＡ、Ｃの幅を中央側にもう少し広げて、且つ、グラフｇＡ、ｇＣのピーク値がもっと中央寄りになるようにそれぞれの深さを選定する。この操作はＱ値をより高くすることで可能である。深さの選定の基準は、主光線が角度θで出射するとしたとき、グラフｇＡ、ｇＣのピーク値に対応する入射角の光線が、回折格子を出るとき入射角に対する相対出射角がθになるような深さである。この目的のためにはブロックＡとブロックＣの深さが等しくならなくても構わない。
ただし、ブロックＡの幅は、ブロックＡとブロックＢの境界におけるグラフｇＢの回折効率の値がグラフｇＡのピーク値を上回らない範囲とする。ブロックＣの幅についても同様とする。なぜなら、この条件を外れると総合の回折効率がかえって減少するからである。
【００３１】
矩形格子を傾斜させて、入射光に対してブラッグ角として高回折効率化できる領域について考察する。
従来から、矩形回折格子の回折効率は、格子を薄い平面型格子として近似したスカラー回折理論からの理論式より計算予測できた。
スカラー回折理論による矩形格子の回折効率理論式は、以下のようである。
波長λの単色光が格子をを透過した際、溝の山と谷で生じる位相変化δは、
δ＝π・ΔｎＴ／λ                            ・・・・・（１）
である。ここで、Ｔは格子の深さ、Δｎは格子部屈折率差を表す。
±ｍ次回折光の回折効率（光強度効率）ηｍ（垂直入射）は、
ηｍ＝４（ｓｉｎ（ｍπｑ）／ｍπ）２ｓｉｎ２δ  ・・・・・（２）
となる。ここでｑは矩形格子のデューティを表す。
【００３２】
平面型格子の場合、（２）式により矩形格子の回折効率は予測できた。格子の体積性を表わすＱ値で言えばＱ＜０．５である格子については、実測値と（２）式による計算値がほぼ一致するが、Ｑ＞２となる格子では実測値と計算値が合わなくなってくる。Ｑ＜０．５である格子については、（２）式から出てくる矩形格子の回折効率最大値（垂直入射）は理論値で４０．５％である。一方、Ｑ＞２の格子で正確に計算予測するためには（２）式ではなくベクトル回折理論による数値計算が必要となる。以上の事実は、Ｑ＞２の領域の格子は体積格子の特性を持ち始め、特定の角度（ブラッグ角）で回折効率がピークを持つことからもわかる。
非特許文献１にも示されているが、Ｑ＞２の領域の格子は体積格子の特性を示し、特定の入射角度に対して高い回折効率を示す。一方、Ｑ＜２である格子については入射角によらずほぼ一定の回折効率を示す。以上のことから、本発明の傾斜格子を適用することにより高回折効率化の効果が得られる領域は、回折格子のＱ値がＱ＞２であるような領域の格子である。すなわち、Ｑ＞２とすることにより、体積ホログラムの特性が現れ、特定の角度で高い回折効率が得られるので高速再生に適している。
【００３３】
図６は有機延伸膜の作製方法を示す模式図である。
同図において符号０はガラス基板、２ｏは延伸膜基材をそれぞれ示す。
従来技術の項で説明したように、偏光性回折格子を構成する材料として、複屈折性を有する有機延伸膜が適している。有機延伸膜の具体例としては、ポリイミドや、ポリカーボネート、ポリエチレンテレフタレート等の高分子フィルムを、延伸により分子鎖を一軸方向に配向させ、面内複屈折を発生させる。
同図（ａ）で延伸膜基材２ｏとして例えばポリアミド酸膜をガラス基板０上に形成し、
同図（ｂ）で剥離後、
同図（ｃ）で加熱延伸を行って有機延伸膜２（この場合はポリイミド複屈折膜）を得る。
延伸の時の温度や加える力により複屈折率差Δｎは変えることができ、安価で量産可能な方法である。
以下、有機延伸膜を本発明に用いた場合の偏光性回折格子の作製工程を説明する。
【００３４】
図７は偏光性回折格子の作製工程を説明するための断面模式図である。
同図において符号１’はカバーガラス、４、４’はレジスト、５はイオンビーム、６は電極、７は等方性物質をそれぞれ示す。
基板１に第１の媒質２として有機延伸膜を載せる（ａ）。さらにレジスト４を重ねる（ｂ）。ブロックＡの格子凹部に相当するマスクを重ねて露光し、格子凹部のみレジスト４を残す（ｃ）。イオンビーム用レジストを一様に重ねる（ｄ）。エッチング等によりレジスト４を除去する（ｅ）。電極６の上で基板１自体をブロックＡに必要な所定の角度傾けて、イオンビーム５を照射する（ｆ）。所定の深さの凹部が得られたら、（ｂ）の工程に戻って以下順次ブロックＢ、ブロックＣの凹部を形成する（ｇ）。
残っているレジストを除去する（ｈ）。少なくとも凹部には等方性媒質７を充填し、カバーガラス１’を重ねて完成となる（ｉ）。
このようにして、ブロックごとに異なる傾斜角を有する偏光性回折格子が形成される。
複屈折性材料として有機延伸膜を使うことにより大面積に加工でき、コストダウンを図れる。また基板の屈折率を任意に選べるのでコストダウンもしやすい。
【００３５】
図７（ｆ）において基板の傾斜角を一定とし、図７（ｇ）における３通りの繰り返しを、エッチングの深さを変えることにより形成し、以後の工程を同様に行えば、図４に示した実施形態の偏光性回折格子を得ることができる。
【実施例３】
【００３６】
図８は本発明のさらに他の実施形態を説明するための断面模式図である。
同図において符号８は液晶を示す。
複屈折性を有する材料として、有機延伸膜の代わりに液晶を用いることができる。
基本的には図７に示した作製工程と同様であるが、図７（ａ）において、基板１の上に有機延伸膜２の代わりに等方性物質７を載せて以後の工程に進む。図７（ｉ）において、格子溝を充填する媒質として、等方性物質７の代わりに液晶８を用いることによって図８に示す偏光性回折格子が得られる。
【実施例４】
【００３７】
図９は本発明のさらに他の実施形態を説明するための断面模式図である。
同図において符号９は透明電極を示す。
液晶を用いると、図７とは全く異なる作製工程で偏光性回折格子を作ることができる。
基板１、および基板１’に予め所望の回折格子に対応する間隔の帯状の透明電極９を、外部から電圧印加可能な状態に形成しておく。両基板１、１’の間に液晶８を封入して後、外部からしかるべき電圧を印加する。電圧印加部分８ａの液晶の配向方向が所望の一定方向になった状態で液晶を硬化させる。例えば、紫外線照射で硬化する樹脂を配合しておくと良い。
基板に形成しておく透明電極９を上下で所定量ずらしておくと、電圧印加時に斜め方向に格子が形成される。このずれ量を領域ごとに少しずつずらせば斜めの傾き角度が領域ごとに異なることになり、図８に示した偏光性回折格子とほぼ同等な偏光性回折格子を得ることができる。
複屈折性材料として液晶を使うことにより大面積に加工でき、電圧印加と紫外線露光だけで格子を形成できるので、高価なエッチング装置を必要とせずコストダウンを図れる。
【００３８】
図１０は本発明に示した偏光性回折格子を光ピックアップ装置に用いた例を示す図である。
同図において符号１０は光源、１１は受光素子、１２は偏光性回折格子、１３はコリメートレンズ、１４は１／４波長板、１５は対物レンズ、１６は光記録媒体、Ｌは光束をそれぞれ示す。
光源１０から出た特定の方向に偏光した発散光束Ｌは、偏光性回折格子１２によっても変化を受けず、コリメートレンズ１３に入射する。光束Ｌは平行光に変換され、１／４波長板１４に入射して位相の変調を受け対物レンズ１５に入射する。ここで光束Ｌは収束光となり、光記録媒体１６に入射し、反射される。光記録媒体１６に記録された情報により変調を受けた反射光は、再度対物レンズ１５に入射後、もとの平行光束に変換され、１／４波長板１４に再入射する。結果的に光束Ｌは、１／２波長の位相変換を受け、もとの光束に対し偏光面が９０°変化する。この平行光束はコリメートレンズ１３に再度入射して、収束光となって偏光性回折格子１２に入射する。光束Ｌは偏光面が９０°変わっているため、偏光性回折格子１２によってそのほとんどが１次回折光となり、受光素子１１に入射する。なお、同図において、紙面に垂直方向がトラック方向である。
【００３９】
本発明を光ピックアップ装置に利用すると次のような効果がある。
１．回折効率が高いので、高速記録再生に対応できる。
２．回折効率が最大になる入射角で光が入射するようになっているので入射角度による回折効率アンバランスが生じず、正確なトラッキング信号検出ができる。
３．周辺部の光も回折効率が高いのでプッシュプル信号の低下が小さい。
４．周辺部の光も回折効率を高めているので、光軸ずれ等により回折格子に入射する光の角度が変わってもオフセットはほとんど生じない。
５．高回折効率なので高速記録再生が可能である。
【実施例５】
【００４０】
図１１は本発明のさらに他の実施形態を説明するための図である。
同図において符号１７はグレーティング、１８は光学的に透明な等方性媒質、２０は投受光素子、３０は光学素子ユニットを示す。
本実施形態は、図１０に長円形Ｄで示した部分、すなわち、光源１０と受光素子１１が一体となった投受光素子２０に偏光性回折格子１２を一体化した構成の光学素子ユニット３０である。グレーティング１７は、光源からの光束を０次光、±１次光の３本の光束に分離し、トラッキング等に利用するために挿入してある。戻り光が偏光性回折格子１２で１次回折した光束が受光素子１１に入射する過程でグレーティング１７に入射しないように構成してある。
本実施形態の光学素子ユニット３０は、経時変化の少ない、安定した信号検出ができる。
【００４１】
図１２は本発明の光学素子ユニットを光ディスクドライブ装置に適用した状態を示す概念図である。
同図において符号４０は光ピックアップ装置、５０は光ディスクドライブ装置、６０はパソコンをそれぞれ示す。
光ディスクドライブ装置５０はパソコン６０からの指示およびデータによって、指定の読み書きを行う。読み書きにあたっては、光学素子ユニット３０を含む光ピックアップ装置４０が動作する。
【００４２】
本装置に用いられる光ピックアップ装置は、回折効率が高く、回折効率にアンバランスのない偏光ホログラムを用いるので、高速な記録再生に適した信頼性の高い信号が得られる。回折効率が高いとＰＤＩＣのゲインを小さくでき、ＰＤＩＣの高速応答化に貢献できる。
さらに入射角度により回折効率の低下が抑えられているので、プッシュプル信号の低下も小さい。したがって光ディスクドライブ装置の記録再生速度の高速化と安定したサーボ制御を達成することができる。
【図面の簡単な説明】
【００４３】
【図１】本発明のホログラムの実施形態を説明するための図である。
【図２】偏光性回折格子の平面図である。
【図３】本実施形態のホログラムの回折効率を示す図である。
【図４】本発明の他の実施形態を説明するための図である。
【図５】図４に示す実施形態の回折効率の一例を示す線図である。
【図６】有機延伸膜の作製方法を示す模式図である。
【図７】偏光性回折格子の作製工程を説明するための断面模式図である。
【図８】本発明のさらに他の実施形態を説明するための断面模式図である。
【図９】本発明のさらに他の実施形態を説明するための断面模式図である。
【図１０】本発明に示した偏光性回折格子を光ピックアップ装置に用いた例を示す図である。
【図１１】本発明のさらに他の実施形態を説明するための図である。
【図１２】本発明の光学素子ユニットを光ディスクドライブ装置に適用した状態を示す概念図である。
【図１３】ホログラムの１例を示す図である。
【図１４】ホログラムの種類による＋１次回折光の回折効率を表すグラフである。
【図１５】格子面の傾斜の有無による１次光回折効率のグラフのシフトを説明するための図である。
【符号の説明】
【００４４】
１      基板
２      第１の媒質
３      第２の媒質
４      レジスト
５      イオンビーム
６      電極
７      等方性物質
８      液晶
９      電極
２０      投受光素子
３０      光学素子ユニット
４０      光ピックアップ装置
５０      光ディスクドライブ装置
【図１】
2005055773.tif 000003
【図２】
2005055773.tif 000004
【図３】
2005055773.tif 000005
【図４】
2005055773.tif 000006
【図５】
2005055773.tif 000007
【図６】
2005055773.tif 000008
【図７】
2005055773.tif 000009
【図８】
2005055773.tif 000010
【図９】
2005055773.tif 000011
【図１０】
2005055773.tif 000012
【図１１】
2005055773.tif 000013
【図１２】
2005055773.tif 000014
【図１３】
2005055773.tif 000015
【図１４】
2005055773.tif 000016
【図１５】
2005055773.tif 000017